(57)【特許請求の範囲】
【請求項１】
架設台を構成していて、ソーラーパネルの傾斜配置方向に沿って所定間隔をおいて水平に架設された単管状の取付部材に対して、厚さ方向の上端部に発電セルが一体に組み込まれた複数枚の方形盤状のソーラーパネルを傾斜方向に沿って取付けるための装置であって、
前記ソーラーパネルの傾斜配置状態において、当該ソーラーパネルの厚さ方向の下端部における傾斜方向の両端部に、当該傾斜方向と直交する水平方向に沿って設けられた挿入係止板部と、
前記傾斜方向に沿って隣接する２本の取付部材における前記ソーラーパネルの各コーナー部に対応する部分にクランプされる複数のクランプ具と、
前記各クランプ具の上面側に一体に取付けられて、前記傾斜方向に沿って隣接する２枚のソーラーパネルのうち斜上側のソーラーパネルの斜下端側及び斜下側のソーラーパネルの斜上端側の各挿入係止板部をそれぞれ挿入係止させるために、各挿入開口が前記傾斜方向に沿って対向配置された一組の挿入係止溝を有する前記クランプ具と同数の挿入係止具と、
を備え、
前記傾斜方向に沿って配置される特定のソーラーパネルは、斜上端側の挿入係止板部を、前記取付部材にクランプされたクランプ具の上面側に取付けられた挿入係止具の低い側の挿入係止溝に挿入係止させた後に、当該ソーラーパネルの斜下端側の挿入係止板部を、非クランプ状態の別のクランプ具の上面側に取付けられた挿入係止具の高い側の挿入係止溝に挿入係止させた状態で、当該別のクランプ具を、前記傾斜方向に沿って低い側に隣接して架設させた別の取付部材にクランプさせることで、傾斜方向に沿って隣接する２本の取付部材にソーラーパネルを取付ける構成であることを特徴とするソーラーパネル取付装置。
【請求項２】
前記挿入係止具は、前記クランプ具の上面側に、前記傾斜方向と直交する水平方向に沿った軸心を中心にして回動可能な状態で連結されていることを特徴とする請求項１に記載のソーラーパネル取付装置。
【請求項３】
前記クランプ具の上面側には、前記挿入係止具が一体に取付けられていることを特徴とする請求項１に記載のソーラーパネル取付装置。
【請求項４】
架設台を構成していて、ソーラーパネルの傾斜配置方向に沿って所定間隔をおいて水平に架設された単管状の取付部材に対して、厚さ方向の上端部に発電セルが一体に組み込まれた複数枚の方形盤状のソーラーパネルを傾斜方向に沿って取付けるための装置であって、
前記ソーラーパネルの傾斜配置状態において、当該ソーラーパネルの厚さ方向の下端部における傾斜方向の両端部に、当該傾斜方向と直交する水平方向に沿って設けられた挿入係止板部と、
傾斜方向に沿って隣接する２本の前記取付部材における前記ソーラーパネルの各コーナー部に対応する部分に取付けられて、前記傾斜方向に沿って隣接する２枚のソーラーパネルのうち斜上側のソーラーパネルの斜下端側及び斜下側のソーラーパネルの斜上端側の各挿入係止板部をそれぞれ挿入係止させるために、各挿入開口が前記傾斜方向に沿って対向配置された一組の挿入係止溝を有する複数の挿入係止具を備え、
前記傾斜方向に沿って配置される特定のソーラーパネルは、斜上端側の挿入係止板部を、前記取付部材に取付けられた挿入係止具の低い側の挿入係止溝に挿入係止させた後に、当該ソーラーパネルの斜下端側の挿入係止板部を、非連結状態の別の挿入係止具の高い側の挿入係止溝に挿入係止させた状態で、当該別の挿入係止具を、前記傾斜方向に沿って低い側に隣接して架設させた別の取付部材に連結させることで、傾斜方向に沿って隣接する２本の取付部材にソーラーパネルを取付ける構成であることを特徴とするソーラーパネル取付装置。
【請求項５】
前記挿入係止具には、傾斜配置状態でソーラーパネルの斜上端部及び斜下端部に一体に設けられた各挿入係止板部が、上下両面から締め付けられた状態で挿入係止されていることを特徴とする請求項１ないし４のいずれかに記載のソーラーパネル取付装置。
【請求項６】
前記挿入係止具は、前記傾斜方向及び当該傾斜方向と直交する水平方向である横方向の双方に沿って隣接する計４枚のソーラーパネルの各コーナー部が交差する部分においては、当該各コーナー部の計４枚の各ソーラーパネルの各挿入係止板部の全てを係止可能なように、前記横方向に沿った必要な長さを有して、当該各コーナー部の交差部に配置されることを特徴とする請求項１ないし５のいずれかに記載のソーラーパネル取付装置。
【請求項７】
前記挿入係止具の各挿入係止溝を構成する上板部の裏面には、ソーラーパネルの挿入係止板部を挿入係止させる際に、当該挿入係止板部の上面に軽く喰い込み得る突起を形成することで、ソーラーパネルの発電セルの部分と、地面との間が電気的に導通されて、アース構造になっていることを特徴とする請求項１ないし６のいずれかに記載のソーラーパネル取付装置。
【発明の詳細な説明】
【技術分野】
【０００１】
本発明は、ボルト類を一切使用せずに、架設台に対してソーラーパネルをワンタッチで取付可能なソーラーパネル取付装置に関するものである。
【背景技術】
【０００２】
ソーラーパネル支持装置は、傾斜方向、及び当該傾斜方向と直交する水平方向である横方向との双方に沿って、複数枚のソーラーパネルを連続配置して、架設台に対して支持する構成である。架設台は、ソーラーパネルの傾斜方向、或いは前記横方向に配置される支持部材、及び地上に垂直に立設される支柱部材を組み付けてなるものであり、当該架設台の上部において、複数枚のソーラーパネルが支持される（特許文献１）。
【０００３】
しかし、特許文献１を含めて、他の先行技術においても、架設台の取付部にソーラーパネルを取付けるには、ボルト類を使用するものが大部分であり、大量のボルト類が必要になるのみならず、施工に際しては、ボルト締め作業に手間取るので、結局、工期も長くなるという問題もある。
【０００４】
例えば、ソーラー発電により、１ＭＷ（メガワット）出力させるには、１枚当たり２５０Ｗの出力を有するソーラーパネルが４，０００枚必要であり、（４，０００×４＝１６，０００）本のボルトが必要になると共に、ボルト締め作業のみに約４０人工を必要とし、その本数、及びボルト締めの手間の多大さの程度が理解できる。
【先行技術文献】
【特許文献】
【０００５】
【特許文献１】特開２００９−１７４７８５号公報
【発明の概要】
【発明が解決しようとする課題】
【０００６】
本発明は、架設台に対してソーラーパネルを取付けるに際して、ボルト類を一切使用せずに、しかもワンタッチでソーラーパネルを架設台に取付けられるようにして、施工コストの低減を図ることを課題としている。
【課題を解決するための手段】
【０００７】
上記課題を解決するための請求項１の発明は、架設台を構成していて、ソーラーパネルの傾斜配置方向に沿って所定間隔をおいて水平に架設された単管状の取付部材に対して、厚さ方向の上端部に発電セルが一体に組み込まれた複数枚の方形盤状のソーラーパネルを傾斜方向に沿って取付けるための装置であって、前記ソーラーパネルの傾斜配置状態において、当該ソーラーパネルの厚さ方向の下端部における傾斜方向の両端部に、当該傾斜方向と直交する水平方向に沿って設けられた挿入係止板部と、前記傾斜方向に沿って隣接する２本の取付部材における前記ソーラーパネルの各コーナー部に対応する部分にクランプされる複数のクランプ具と、前記各クランプ具の上面側に一体に取付けられて、前記傾斜方向に沿って隣接する２枚のソーラーパネルのうち斜上側のソーラーパネルの斜下端側及び斜下側のソーラーパネルの斜上端側の各挿入係止板部をそれぞれ挿入係止させるために、各挿入開口が前記傾斜方向に沿って対向配置された一組の挿入係止溝を有する前記クランプ具と同数の挿入係止具とを備え、前記傾斜方向に沿って配置される特定のソーラーパネルは、斜上端側の挿入係止板部を、前記取付部材にクランプされたクランプ具の上面側に取付けられた挿入係止具の低い側の挿入係止溝に挿入係止させた後に、当該ソーラーパネルの斜下端側の挿入係止板部を、非クランプ状態の別のクランプ具の上面側に取付けられた挿入係止具の高い側の挿入係止溝に挿入係止させた状態で、当該別のクランプ具を、前記傾斜方向に沿って低い側に隣接して架設させた別の取付部材にクランプさせることで、傾斜方向に沿って隣接する２本の取付部材にソーラーパネルを取付ける構成であることを特徴としている。
【０００８】
請求項１の発明においては、前記傾斜方向に沿って配置される特定のソーラーパネルは、斜上端側の挿入係止板部を、前記取付部材にクランプされたクランプ具の上面側に取付けられた挿入係止具の低い側の挿入係止溝に挿入係止させた後に、当該ソーラーパネルの斜下端側の挿入係止板部を、非クランプ状態の別のクランプ具の上面側に取付けられた挿入係止具の高い側の挿入係止溝に挿入係止させた状態で、当該別のクランプ具を、前記傾斜方向に沿って低い側に隣接して架設させた別の取付部材にクランプさせることで、傾斜方向に沿って隣接する２本の取付部材にソーラーパネルが取付けられる。引き続いて、架設台に取付けられたソーラーパネルに接続し、その斜下方に別のソーラーパネルを順次取付けるには、上記した各操作を反復させればよい。
【０００９】
このように、ボルト類を一切使用せずに、架設台を構成していて、傾斜方向に沿って隣接する２本の単管状の取付部材に対して、計４個のクランプ具及び同数の挿入係止具を介してソーラーパネルをワンタッチで取付可能となる。よって、従来、使用が不可欠であった多量のボルト類が不要になり、その結果として、ボルト締め作業の工数が不要となって、ソーラーパネルの取付けのための工期も短縮される。
【００１０】
請求項２の発明は、請求項１の発明において、前記挿入係止具は、前記クランプ具の上面側に、前記傾斜方向と直交する水平方向に沿った軸心を中心にして回動可能な状態で連結されていることを特徴としている。
【００１１】
請求項２の発明によれば、ソーラーパネルの斜上端側の挿入係止板部が、取付部材にクランプされたクランプ具の上面側に取付けられた挿入係止具の斜下端側の挿入係止溝に挿入された状態において、ソーラーパネルの斜下端側の挿入係止板部を、非クランプ状態の別のクランプ具の上面側に取付けられた挿入係止具の高い側の挿入係止溝に挿入係止させた状態で、当該別のクランプ具を、別の取付部材にクランプさせる際に、前記取付部材にクランプされたクランプ具に対してソーラーパネルを回動させられるので、当該別のクランプ具を、前記取付部材に対して傾斜方向に沿って低い側に隣接して架設させた別の取付部材にクランプさせる作業を確実に行える。また、前記挿入係止具は、前記クランプ具の上面側に、前記傾斜方向と直交する水平方向に沿った軸心を中心にして回動可能な状態で連結されていて、単管状の取付部材に対するソーラーパネルの支持が剛体支持でなくなるため、ソーラーパネルに風圧が作用した場合に発生する振動の吸収も可能となって、架設台に対するソーラーパネルの取付支持の状態が安定化する。
【００１２】
請求項３の発明は、前記クランプ具の上面側には、前記挿入係止具が一体に取付けられていることを特徴としている。
【００１３】
請求項３の発明においては、ソーラーパネルは、本来の配置位置である傾斜姿勢で、その取付けを行う必要がある。即ち、ソーラーパネルを本来の傾斜姿勢に配置して、その斜上端側の挿入係止板部を、クランプ済のクランプ具に一体に設けられた挿入係止具の斜下端側の挿入係止溝に挿入係止させた後に、当該ソーラーパネルの斜下端側の挿入係止板部を、非クランプ状態の別のクランプ具に一体に取付けられた挿入係止具の斜上端部の挿入係止溝に挿入した後に、当該別のクランプ具を、前記したクランプ済のクランプ具が取付けられている取付部材に対して斜下方において隣接する別の取付部材にクランプさせる。請求項３の発明に係るクランプ具は、構成が簡単である利点がある。
【００１４】
請求項４の発明は、架設台を構成していて、ソーラーパネルの傾斜配置方向に沿って所定間隔をおいて水平に架設された単管状の取付部材に対して、厚さ方向の上端部に発電セルが一体に組み込まれた複数枚の方形盤状のソーラーパネルを傾斜方向に沿って取付けるための装置であって、前記ソーラーパネルの傾斜配置状態において、当該ソーラーパネルの厚さ方向の下端部における傾斜方向の両端部に、当該傾斜方向と直交する水平方向に沿って設けられた挿入係止板部と、傾斜方向に沿って隣接する２本の前記取付部材における前記ソーラーパネルの各コーナー部に対応する部分に取付けられて、前記傾斜方向に沿って隣接する２枚のソーラーパネルのうち斜上側のソーラーパネルの斜下端側及び斜下側のソーラーパネルの斜上端側の各挿入係止板部をそれぞれ挿入係止させるために、各挿入開口が前記傾斜方向に沿って対向配置された一組の挿入係止溝を有する複数の挿入係止具を備え、前記傾斜方向に沿って配置される特定のソーラーパネルは、斜上端側の挿入係止板部を、前記取付部材に取付けられた挿入係止具の低い側の挿入係止溝に挿入係止させた後に、当該ソーラーパネルの斜下端側の挿入係止板部を、非連結状態の別の挿入係止具の高い側の挿入係止溝に挿入係止させた状態で、当該別の挿入係止具を、前記傾斜方向に沿って低い側に隣接して架設させた別の取付部材に連結させることで、傾斜方向に沿って隣接する２本の取付部材にソーラーパネルを取付ける構成であることを特徴としている。
【００１５】
請求項４の発明においては、前記傾斜方向に沿って配置される特定のソーラーパネルは、斜上端側の挿入係止板部を、アングル状をした前記取付部材に取付けられた挿入係止具の低い側の挿入係止溝に挿入係止させた後に、当該ソーラーパネルの斜下端側の挿入係止板部を、非連結状態の別の挿入係止具の高い側の挿入係止溝に挿入係止させた状態で、当該別の挿入係止具を、前記傾斜方向に沿って低い側に隣接して架設させた別のアングル状の取付部材に連結させることで、傾斜方向に沿って隣接する２本のアングル状の取付部材にソーラーパネルが取付けられる。
【００１６】
このように請求項４の発明においても、アングル状の取付部材と挿入係止具との連結を除いて、傾斜方向の上端部に配置される各挿入係止具に対するソーラーパネルの取付けに関しては、ボルト類を一切使用せずに、ソーラーパネルをワンタッチで取付可能となる。
【００１７】
請求項４の発明においても、アングル状の取付部材の上面側に取付けられる挿入係止具を、前記傾斜方向と直交する水平方向に沿った軸心を中心にして回動可能な構成にすると、取付途中のソーラーパネルは、いかなる姿勢にすることもできるので、取付作業の制約がなくなって、当該取付作業が容易となる。
【００１８】
請求項５の発明は、請求項１ないし４のいずれかの発明において、前記挿入係止具には、傾斜配置状態でソーラーパネルの斜上端部及び斜下端部に一体に設けられた各挿入係止板部が、上下両面から締め付けられた状態で挿入係止されていることを特徴としている。
【００１９】
請求項５の発明によれば、ソーラーパネルの斜上端部及び斜下端部に一体に設けられた各挿入係止板部が、傾斜方向に沿って隣接している２つの挿入係止具の各挿入係止溝に挿入係止された状態で、隙間が存在しないので、ソーラーパネルに風圧が作用して振動が発生しても、ソーラーパネルに「ガタツキ」が発生しない。
【００２０】
請求項６の発明は、請求項１ないし５のいずれかの発明において、前記挿入係止具は、前記傾斜方向及び当該傾斜方向と直交する水平方向である横方向の双方に沿って隣接する計４枚のソーラーパネルの各コーナー部が交差する部分においては、当該各コーナー部の計４枚の各ソーラーパネルの各挿入係止板部の全てを係止可能なように、前記横方向に沿った必要な長さを有して、当該各コーナー部の交差部に配置されることを特徴としている。
【００２１】
請求項６の発明によれば、横方向に隣接している２枚のソーラーパネルにおいて、挿入係止具を兼用させられる構造であるので、傾斜方向及び横方向の双方に沿って隣接する計４枚のソーラーパネルの各コーナー部が交差する部分に使用される挿入係止具の数が半減される。
【００２２】
請求項７の発明は、請求項１ないし６のいずれかの発明において、前記挿入係止具の各挿入係止溝を構成する上板部の裏面には、ソーラーパネルの挿入係止板部を挿入係止させる際に、当該挿入係止板部の上面に軽く喰い込み得る突起を形成することで、ソーラーパネルの発電セルの部分と、地面との間が電気的に導通されて、アース構造になっていることを特徴としている。
【００２３】
請求項７の発明によれば、アース線を一切用いることなく、ソーラーパネルを挿入係止具に取付ける際の取付構造の工夫のみで、ソーラーパネルの発電セルの部分と地面との間の電位差をなくすことができて、ソーラーパネルの部分において軽微な感電を防止できる。
【発明の効果】
【００２４】
請求項１の発明によれば、ボルト類を一切使用せずに、架設台を構成していて、傾斜方向に沿って隣接する２本の単管状の取付部材に対して、クランプ具及び挿入係止具を介してソーラーパネルがワンタッチで取付けられ、従来、使用が不可欠であった多量のボルト類が不要になり、その結果として、ボルト締め作業の工数が不要となって、ソーラーパネルの取付けのための工期も短縮される。
【００２５】
請求項４の発明によれば、アングル状の取付部材と挿入係止具との連結を除いて、傾斜方向の上端部に配置される各挿入係止具に対するソーラーパネルの取付けに関しては、ボルト類を一切使用せずに、ソーラーパネルをワンタッチで取付可能となる。
【図面の簡単な説明】
【００２６】
【図１】実施例１のソーラーパネル取付装置Ｄ1 によって架設台Ｖに多数のソーラーパネルＰが取付けられたソーラーパネル装置の全体斜視図である。
【図２】ソーラーパネル装置の右上のコーナー部を斜下方から見た部分斜視図である。
【図３】ソーラーパネル装置をソーラーパネルＰの傾斜した上面に対して垂直な方向から見た図である。
【図４】図１におけるＸ矢視図である。
【図５】図１におけるＹ矢視図である。
【図６】実施例１のソーラーパネル取付装置Ｄ1 を構成する挿入係止具Ｅ1 及びクランプ具Ｃを介してソーラーパネルＰが単管状の取付部材１０３に取付けられた状態の斜視図である。
【図７】実施例１のソーラーパネル取付装置Ｄ1 を構成する挿入係止具Ｅ1 及びクランプ具Ｃの断面図である。
【図８】（ａ），（ｂ）は、実施例１のソーラーパネル取付装置Ｄ1 を構成する挿入係止具Ｅ1 及びクランプ具Ｃを異なる方向から見た斜視図である。
【図９】同じく分解斜視図である。
【図１０】（ａ），（ｂ）は、実施例１のソーラーパネル取付装置Ｄ1 を使用して、傾斜方向Ｑに沿って最上段に位置するソーラーパネルＰ1 を隣接する２本の取付部材１０３に取付ける工程を示す側面図である。
【図１１】（ａ），（ｂ）は、実施例１のソーラーパネル取付装置Ｄ1 を使用して、傾斜方向Ｑに沿って最上段を除く残りのソーラーパネルＰ2 〜Ｐ4 を隣接する２本の取付部材１０３に取付ける工程を示す側面図である。
【図１２】図４のＡの部分の拡大詳細図である。
【図１３】挿入係止具Ｅ2 を使用して、取付部材１０３にソーラーパネルＰが取付けられた状態の断面図である。
【図１４】挿入係止具Ｅ3 を使用して、取付部材１０３にソーラーパネルＰが取付けられた状態の断面図である。
【図１５】実施例２のソーラーパネル取付装置Ｄ2 の斜視図である。
【図１６】同じく断面図である。
【図１７】（ａ），（ｂ）は、それぞれ挿入係止具Ｅ5 を用いた実施例３のソーラーパネル取付装置Ｄ3 の斜視図、及び平面図である。
【図１８】（ａ），（ｂ）は、それぞれ挿入係止具Ｅ1 及び同Ｅ5 を用いたソーラーパネルＰの取付構造を示す模式的平面図である。
【図１９】実施例４のソーラーパネル取付装置Ｄ4 の断面図である。
【図２０】実施例５のソーラーパネル取付装置Ｄ5 の断面図である。
【図２１】ソーラーパネルＰのアース構造を示す側面図である。
【図２２】（ａ），（ｂ）は、それぞれソーラーパネルＰの別のアース構造を示す斜視図及び断面図である。
【発明を実施するための形態】
【００２７】
以下、複数の実施例を挙げて、本発明について更に詳細に説明する。
【実施例１】
【００２８】
最初に、図１ないし図５を参照にして、多数枚のソーラーパネルＰを取付けて支持するための架設台Ｖの構造について簡単に説明する。なお、以下の説明におてい、「ソーラーパネル装置」とは、架設台Ｖに多数枚のソーラーパネルＰが傾斜方向Ｑ及び横方向Ｒの双方に沿って取付けられた状態のものを示す。図示の１セットのソーラーパネル装置は、傾斜方向Ｑ及び当該傾斜方向Ｑと直交する水平方向である横方向Ｒに沿って、それぞれ４枚，３枚のソーラーパネルＰが配置された構造である。架設台Ｖは、いずれも単管から成る長さ（高さ）の異なる支柱部材１０１ａ，１０１ｂ，傾斜方向Ｑに沿って配置される傾斜部材１０２及びソーラーパネルを取付ける取付部材１０３との３種類の各部材を結合クランプ具１０４を介して一体に架設したものである。結合クランプ具１０４は、互いに直交する２本の単管を連結するのに使用されるクランプ具であって、２個の各クランプ具が一体化された構造である。支柱部材１０１ａ，１０１ｂは、ソーラーパネルＰの傾斜方向Ｑに沿った両端部に近い部分に、地面Ｇに対して垂直に立設され、支柱部材１０１ａ，１０１ｂの一側方には、傾斜部材１０２が傾斜角度（θ）で配置されて、結合クランプ具１０４を介して一体に連結されている。傾斜部材１０２は、横方向Ｒに沿ったソーラーパネルＰの枚数分だけ、一定間隔（ソーラーパネルＰの横方向Ｒに沿った寸法に等しい間隔）をおいて配置されている。
【００２９】
傾斜部材１０２は、ソーラーパネルＰの短手方向の寸法の約整数倍（実施例では約４倍）の長さを有している（正確には、ソーラーパネルＰの短手方向の寸法の整数倍よりも僅かに長い長さを有している）。傾斜方向Ｑに沿った配置された複数本（実施例では４本）の各傾斜部材１０２の斜上端及び斜下端の各部分、並びに当該傾斜部材１０２を４等分した各等分点の３つの部分の計５つの部分には、横方向Ｒに沿って取付部材１０３が結合クランプ具１０４を介してそれぞれ一体に連結されている。単管から成る取付部材１０３は、後述のように、クランプ具Ｃを介してソーラーパネルＰが取付けられる部材であるため、図２及び図４に示されるように、当該取付部材１０３は、傾斜部材１０２よりも上方に配置されて、ソーラーパネルＰの取付けの際に、傾斜部材１０２と干渉しない構造にしてある。
【００３０】
次に、図６〜図１２を参照して、ボルトを一切使用しないで、前記架設台Ｖに対してソーラーパネルＰを取付けるためのソーラーパネル取付装置Ｄ1 について説明する。ソーラーパネルＰは、金属板を組み付けることで長方形盤状に形成されたものであって、図１０に示されるように、厚さ方向の上端部に、長方形状をした発電セル９１が組み込まれていて、当該発電セル９１の上面は、強化ガラス９２で覆われ、当該発電セル９１の下面（裏面）は、バックシート（保護シート）〔図示せず〕で覆われている。この結果、長方形盤状をしたソーラーパネルＰは、その短手辺が傾斜するように傾斜配置され、長手方向の両端部である短手辺の部分は、断面が中空長方形状をした補強部９３がほぼ全高に亘って設けられて、ソーラーパネルＰの短手辺の部分が補強されている（図６及び図１２参照）。ソーラーパネルＰにおける短手方向の両端部であって、しかも厚さ方向に沿って下端となる部分には、挿入係止板部１が長手方向の全長に亘ってそれぞれ一体に形成されている。即ち、挿入係止板部１は、その幅方向の一端部に一体に連結されている側板部２とで、断面Ｌ字状に形成されていて、当該挿入係止板部１の長手方向の両端部は、前記各補強部９３の内側において、当該補強部９３に対して溶接等により一体となっているため、挿入係止板部１そのものは、板状であるが、その幅方向の一端部は、側板部２に一体に形成され、その長手方向の両端部は、補強部９３に対して一体化されているため、挿入係止板部１の変形に対する剛性は高くなっている。
【００３１】
実施例１のソーラーパネル取付装置Ｄ1 は、単管からなる取付部材１０３にクランプされるクランプ具Ｃと、当該クランプ具Ｃの上面側に、当該クランプ具Ｃを取付部材１０３にクランプした状態で、前記横方向Ｒに沿った軸心を中心にして回動可能な挿入係止具Ｅ1 とから成る。クランプ具Ｃは、単管からなる取付部材１０３を外側から挟持可能な一対の分割体１１，１２から成り、各分割体１１，１２は、単管からなる取付部材１０３の周方向に配置される周板部１１ａ，１２ａの幅方向の両端部に、内側に向けてフランジ板部１１ｂ，１２ｂがそれぞれ一体に設けられて、各フランジ板部１１ｂ，１２ｂの周方向に沿った一端部は、連結ピン１３を介して連結されることで、一対の分割体１１，１２は、連結ピン１３の部分を中心にして開閉して、当該連結ピン１３と対向する部分に設けられた開口１４から内部に、取付部材１０３を構成する単管を挿入できる。
【００３２】
ここで、分割体１１の周板部１１ａの上面側は、平面状をした後述のスライド許容具２４を配置する部分となっている。なお、下方の分割体１２のフランジ板部１２ｂの幅は狭くて、当該フランジ板部１２ｂの内端部には、取付部材１０３を構成する単管に対してクランプ具Ｃをクランプさせる際に、取付部材１０３を構成する単管の外周面に圧接する支持板部１１ｄが周板部１２ａとほぼ平行となって形成されている。各分割体１１，１２の開口１４の部分は、いずれも半径方向に突出されていて、上方に配置される分割体１１の突出部１１ｃは、固定ボルト１５の基端部に設けられた短筒部１５ａに挿入される挿入ピン１６の両端部を支持している。一方、下方に配置される分割体１２の突出部１２ｃは、基端部が短筒部１５ａを介して連結ピン１３に対して回動可能に連結された固定ボルト１５を挿入可能なボルト挿入溝１７が形成されている。  
【００３３】
そして、図１０に示されるように、クランプ具Ｃの一対の分割体１１，１２の開口１４を大きく開いた状態で、当該開口１４から、取付部材１０３を構成する単管をクランプ具Ｃの内部に相対的に挿入させ、その後に、固定ボルト１５を分割体１２のボルト挿入溝１７の部分に挿入させ、この状態で、当該固定ボルト１５に対してナット１８を螺合させて締め上げると、前記単管に対してクランプ具Ｃが強固にクランプされた状態となる。
【００３４】
図６〜図９に示されるように、クランプ具Ｃの上面側には、スライド許容具２４を介して挿入係止具Ｅ1 が回動軸心Ｂを中心にして回動可能に取付けられる。挿入係止具Ｅ1 は、傾斜配置状態においてソーラーパネルＰの傾斜方向（短手方向）の両端部に一体に設けられた前記各挿入係止板部１を挿入係止させることで、単管からなる取付部材１０３に対してソーラーパネルＰを一切のボルトを用いることなく取付可能にするための部材であって、その構成自体は、極めて簡単である。即ち、挿入係止具Ｅ1 は、傾斜配置状態において基板部２１の傾斜方向Ｑに沿った両端部に、当該基板部２１を含んだ状態で、断面コの字形をした挿入係止溝２２，２３がそれぞれ設けられた形状である。各挿入係止溝２２，２３の挿入開口２２ａ，２３ａは、傾斜方向Ｑに沿って対向している。
【００３５】
そして、図１０（ｂ）及び図１１（ｂ）に示されるように、傾斜方向に沿って複数個（図１の配置例では、傾斜方向Ｑに沿ったソーラーパネルＰの数が４であるので、挿入係止具Ｅ1 の必要数は５である）だけ存在する特定の挿入係止具Ｅ1 の各挿入係止溝２２，２３に、傾斜方向Ｑに沿って隣接する斜上方のソーラーパネルＰの斜下端側の挿入係止板部１及び斜下方のソーラーパネルＰの斜上端側の挿入係止板部１がそれぞれ挿入係止された状態では、ソーラーパネルＰの自重の作用によって、斜上方のソーラーパネルＰの斜下端側の挿入係止板部１は、挿入係止具Ｅ1 の斜上方の挿入係止溝２２の奥端に達していないが、斜下方のソーラーパネルＰの斜上端側の挿入係止板部１は、挿入係止具Ｅ1 の斜下方の挿入係止溝２３の奥端に当接する関係となる。また、斜上方のソーラーパネルＰを取付けた後に、斜下方に隣接する別のソーラーパネルＰを取付けるので、取付済の斜上方のソーラーパネルＰの斜下方端面（側板部２の外面）と、挿入係止具Ｅ1 の斜下方側の挿入係止溝２３の挿入開口２３ａとの寸法Ｌ3 〔図１１（ａ）参照〕は、斜上方のソーラーパネルＰが取付けられた状態で、隣接する斜下方の別のソーラーパネルＰの挿入係止板部１が、当該挿入係止具Ｅ1 の斜下方の挿入係止溝２３に挿入できる寸法（以下、「後挿入のソーラーパネルの挿入係止板部が挿入可能な寸法」という）であることが不可欠である。
【００３６】
従って、挿入係止具Ｅ1 の回動軸心Ｂからの各挿入係止溝２２，２３の奥端までの寸法をそれぞれＬ1 ，Ｌ2 とした場合において、各寸法Ｌ1 ，Ｌ2 は、ソーラーパネルＰの挿入係止板部１の幅寸法Ｌ4 〔図１１（ａ）参照〕及び上記した「後挿入のソーラーパネルの挿入係止板部が挿入可能な寸法Ｌ3 」との関係において、上記した条件の全てを満たすように決定されることになる。
【００３７】
上記した挿入係止具Ｅ1 は、クランプ具Ｃの上面側の分割体１１の周板部１１ａの上面の平面状の部分に、スライド許容具２４を介して回動軸心Ｂを中心にして回動可能に取付けられている。スライド許容具２４は、ソーラーパネルＰがクランプ具Ｃ及び挿入係止具Ｅ1 を介して傾斜方向に沿って隣接する２本の取付部材１０３に取付けられた状態において、当該ソーラーパネルＰに風圧等が作用した場合に、当該ソーラーパネルＰの横方向Ｒへの微動を許容して、当該ソーラーパネルＰが部分破損されるのを防止するための部材である。
【００３８】
スライド許容具２４は、全長に亘ってあり溝２０が形成された許容具本体２５の上面側に、前記挿入係止具Ｅ1 の裏面に横方向Ｒに沿って形成された被嵌合部２６に嵌合される嵌合部２７が同じく横方向Ｒに沿って設けられた構成である。嵌合部２７の断面は円形であって、被嵌合部２６の断面は、中心角が１８０°を超える円弧状となっているため、被嵌合部２６に対して許容具本体２５の嵌合部２７が嵌合された状態では、嵌合が外れることなく、横方向Ｒにのみスライド可能となる。更に、被嵌合部２６に許容具本体２５の嵌合部２７が嵌合された状態で、当該嵌合部２７の両側には、圧縮ばね２８がそれぞれ配置される。なお、被嵌合部２６における各圧縮ばね２８の外側には、それぞれ閉塞体２９が配置され、当該閉塞体２９は止ねじ３０により被嵌合部２６に固定される。
【００３９】
また、クランプ具Ｃの上側の分割体１１の周板部１１ａの上面には、平面部が形成されていて、当該平面部の中央部に係止ボルト３２が螺合され、当該係止ボルト３２の六角形状の頭部３２ａが係止部として利用される。即ち、当該係止ボルト３２の六角形状の頭部３２ａの二面幅の部分の幅は、スライド許容具２４のあり溝２０の幅に対応していて、係止ボルト３２の頭部３２ａがスライド許容具２４のあり溝２０に挿入された状態で、スライド許容具２４に対して係止ボルト３２の頭部３２ａが回動しない寸法関係になっている。
【００４０】
従って、図１、図３及び図１２に示されるように、計４つのクランプ具Ｃ及び同数の挿入係止具Ｅ1 を介して１枚のソーラーパネルＰを傾斜方向に沿って隣接する２本の取付部材１０３に取付けることで、架設台Ｖに傾斜方向Ｑ及び横方向Ｒに沿ってそれぞれ多数枚のソーラーパネルＰを取付けると、傾斜方向Ｑに沿って隣接するソーラーパネルＰの間に隙間３３（図１０参照）が形成されると共に、横方向Ｒに沿って隣接するソーラーパネルＰの間に隙間３４（図１２参照）が形成される。そして、ソーラーパネルＰに風圧、衝撃、振動等が作用した場合には、横方向Ｒに対しては、ソーラーパネルＰに作用する振動類を吸収できる防振構造になっており、しかもソーラーパネルＰが横方向Ｒに微動した後には、圧縮ばね２８の弾性復元力により、原位置に復帰される。
【００４１】
このため、ソーラーパネル取付装置Ｄ1 とは、クランプ具Ｃの上面側に挿入係止具Ｅ1 が取付けられた状態の部材を「取付装置単体」と称した場合において、計４つの「取付装置単体」が構成される。図面においては、符号記入の冗長性及び複雑性の回避のために、「取付装置単体」に相当する部分に符号「Ｄ1 」を付してある。
【００４２】
なお、傾斜方向Ｑに沿って使用される挿入係止具Ｅ1 の数は、取付部材１０３の数と同一であって、傾斜方向Ｑに沿ってソーラーパネルＰの配置数に１を加えた数である。そして、傾斜方向Ｑに沿って配置される複数の挿入係止具Ｅ1 のうち、傾斜方向Ｑの両端を除く中間部の挿入係止具Ｅ1 は、各挿入係止溝２２，２３に傾斜方向に沿って隣接する２枚のソーラーパネルＰの各挿入係止板部１がそれぞれ挿入係止されるが、傾斜方向に沿って両端の挿入係止具Ｅ1'には、それぞれ最斜上端部及び最斜下端部の各ソーラーパネルＰの斜上端部及び斜下端部の挿入係止板部１が挿入係止されるのみであるので、当該挿入係止具Ｅ1'は、２つの挿入係止溝２２，２３を備えた挿入係止具Ｅ1 に対して、使用しない側の挿入係止溝２２（２３）を欠落させた構造にしてある（図２及び図５参照）。即ち、図７において、欠落線Ｋ1 ，Ｋ2 で示される部分において、挿入係止具Ｅ1 の基板部２１を欠落させた各挿入係止具Ｅ1'が、それぞれソーラーパネルＰの斜上端部及び斜下端部で使用される。
【００４３】
そして、図１に示されるように、架設台Ｖを構成する単管からなる各取付部材１０３にソーラーパネルＰを、傾斜方向Ｑに沿って斜上方から斜下方に向けて取付けるには、以下のようにして行う。なお、図１，図１０及び図１１においてのみ、傾斜方向Ｑに沿って配置された複数枚（４枚）の各ソーラーパネルＰを特定可能にするために、本来の符号（Ｐ）に添字を付して、最上段のソーラーパネルを（Ｐ1 ）と表示し、２段目以降のソーラーパネルを（Ｐ2 〜Ｐ4 ）と表示する。まず、傾斜方向Ｑに沿って最も高い部分にソーラーパネルＰ1 を取付けるには、図１０（ａ）に示されるように、傾斜方向Ｑに沿って最も高い位置（最上段）に配置された取付部材１０３に対してクランプ具Ｃをクランプして、当該クランプ具Ｃに対してスライド許容具２４を介して連結されている挿入係止具Ｅ1'の挿入係止溝２３に、ソーラーパネルＰ1 の高い側となる挿入係止板部１を挿入係止させ、この状態で、空中に存在している状態のソーラーパネル取付装置〔正確には、「取付装置単体」〕Ｄ1 を構成する挿入係止具Ｅ1 の高い側となる挿入係止溝２２に、当該ソーラーパネルＰ1 の低い側となる挿入係止板部１を挿入係止させる。
【００４４】
次に、図１０（ｂ）に示されるように、上記のままの状態で、挿入係止具Ｅ1 の挿入係止溝２２に低い側の挿入係止板部１が挿入係止されたソーラーパネルＰ1 を、最も高い側に配置された挿入係止具Ｅ1 の回動軸心Ｂを中心にして下方に回動させて、開口１４が大きく開いているクランプ具Ｃを、傾斜方向Ｑに沿って前記取付部材１０３に隣接する別の取付部材１０３に対してクランプさせる。これにより、傾斜方向Ｑに沿って最上段にソーラーパネルＰ1 が、当該傾斜方向Ｑに沿って隣接する２本の取付部材１０３に取付けられる。ソーラーパネルＰ1 が隣接する２本の取付部材１０３に取付けられた状態では、重力作用によって、ソーラーパネルＰ1 は、傾斜方向Ｑに沿って下がるので、高い側の挿入係止板部１は、挿入係止具Ｅ1'の挿入係止溝２３の奥端面に当接しているが、低い側の挿入係止板部１の先端は、別の挿入係止具Ｅ1 の高い側の挿入係止溝２２の奥端面に当接せずに、僅かの隙間４１が形成される。
【００４５】
最上段を除く、２段目以降のソーラーパネルＰ2 〜Ｐ4 を隣接する２本の取付部材１０３に取付けるには、上記に近似した操作を反復させればよい。即ち、図１１（ａ）に示されるように、２段目のソーラーパネルＰ2 の低い側の挿入係止板部１を、別のクランプ具Ｃの上面側に取付けられた挿入係止具Ｅ1 の高い側の挿入係止溝２２に挿入した状態で、当該２段目のソーラーパネルＰ2 の高い側の挿入係止板部１を、取付済のソーラーパネルＰ1 の低い側の側板部２と、挿入係止具Ｅ1 の低い側の挿入係止溝２３の挿入開口２３ａとの間に挿入して、当該２段目のソーラーパネルＰ2 を、ほぼ傾斜方向Ｑに沿って配置した状態とする。この状態で、２段目のソーラーパネルＰ2 の高い側の挿入係止板部１を挿入係止具Ｅ1 の基板部２１に載せて、非クランプ状態のクランプ具Ｃを取付部材１０３に仮保持させた後に、ソーラーパネルＰ2 の全体を傾斜方向Ｑに沿って斜下方に向けて僅かにスライドさせると、当該ソーラーパネルＰ2 の高い側の挿入係止板部１が、挿入係止具Ｅ1 の低い側の挿入係止溝２３に挿入されることで、非クランプ状態のクランプ具Ｃは、僅かに反時計方向に回動されて、２段目のソーラーパネルＰ2 は、最上段のソーラーパネルＰ1 と同一の傾斜面上に配置される。最後に、取付部材１０３に対して非クランプ状態のクランプ具Ｃをクランプさせると、２段目のソーラーパネルＰ2 の取付けが完了する。３段目及び４段目の各ソーラーパネルＰ3 ，Ｐ4 は、２段目のソーラーパネルＰ2 と同様の操作で傾斜方向Ｑに沿って隣接する２本の取付部材１０３に取付ける。
【００４６】
また、挿入係止具の挿入係止溝に対してソーラーパネルＰの挿入係止板部１を隙間のない状態で挿入係止させて、取付状態におけるソーラーパネルＰの「ガタツキ」の発生を防止する構造として以下のものが挙げられる。図１３に示される挿入係止具Ｅ2 は、傾斜配置状態において傾斜方向Ｑに沿った両端面にそれぞれ挿入嵌着溝４２が形成された基板部４３と、当該基板部４３の各挿入嵌着溝４２に挿入嵌着されることで、前記基板部４３の上面に、傾斜方向Ｑに沿って開口が対向した挿入係止溝４４，４５を形成するための一対の溝形成具４６とから成る。溝成形具４６は、基板部４３の挿入嵌着溝４２に挿入嵌着される挿入嵌着部４７と、当該基板部４３の上面との間において挿入係止溝４４，４５を形成する溝形成板部４８とが、当接板部４９の内側面に一体に設けられた構成である。挿入係止具Ｅ2 の基板部４３の上面に、ソーラーパネルＰの斜方向の上端部又は下端部を載せた状態で、当該基板部４３の挿入嵌着溝４２に溝形成具４６の挿入嵌着部４７を挿入嵌着させるので、換言すると、挿入係止溝４４，４５を形成する溝形成板部４８を、挿入係止板部１が配置された後に配置するので、当該溝形成板部４８と基板部４３との間で挿入係止板部１をしっかりと挟持できて、「ガタツキ」の発生がなくなる。なお、挿入嵌着溝４２の上下の各対向面には、係止小凹部４２ａが形成され、挿入嵌着部４７の上下面には、前記係止小凹部４２ａに係止される係止小凸部４７ａが形成されて、嵌着状態で、両者４２ａ，４７ａは、互いに係止されるため、挿入嵌着溝４２に対する挿入嵌着部４７の抜け出しを効果的に防止できる。
【００４７】
図１４に示される挿入係止具Ｅ3 は、傾斜配置状態（使用状態）において、前記挿入係止具Ｅ1 の傾斜方向の両端部が、それぞれ傾斜方向Ｑに延設されて延設部５１が形成され、各延設部５１に段付くさび孔５２が形成されて、各段付くさび孔５２に段付くさび体５３が圧入される構成である。各段付くさび孔５２に段付くさび体５３が圧入によって、挿入係止溝２２，２３を構成する上板部５４が僅かに下方に強制変形されることで、当該挿入係止溝２２，２３の幅が狭くなって、ソーラーパネルＰの挿入係止板部１は、上板部５４により下方に向けて強く押し付けられる。この結果、ソーラーパネルＰの「ガタツキ」が防止される。
【実施例２】
【００４８】
次に、図１５及び図１６を参照して、実施例２のソーラーパネル取付装置Ｄ2 について説明する。ソーラーパネル取付装置Ｄ2 は、クランプ具Ｃの上方の分割体１１の周板部１１ａの上面の平面部を、挿入係止具Ｅ4 の基板部６１として兼用させたものであって、当該基板部６１における配置状態で傾斜方向Ｑとなる両端部は、それぞれ当該傾斜方向Ｑに延設された延設板部６２となっていて、当該延設板部６２には、当該延設板部６２を含めて断面がコの字形となるような上板部６３が上下方向に僅かの間隔をおいて設けられることで、開口が傾斜方向Ｑに対向した挿入係止溝６４，６５が形成されている。
【００４９】
実施例２のソーラーパネル取付装置Ｄ2 は、クランプ具Ｃの上方の分割体１１の周板部１１ａの上面の平面部が、挿入係止具Ｅ4 の基板部６１を兼用しているために、全体の構成が簡単になる利点がある。
【実施例３】
【００５０】
図１７に示される実施例３のソーラーパネル取付装置Ｄ3 は、クランプ具Ｃの上方の分割体１１の周板部１１ａの上面の平面部に、挿入係止具Ｅ5 が一体に設けられた構成である。挿入係止具Ｅ5 は、横方向Ｒに沿って隣接する２枚のソーラーパネルＰの隣接する各コーナー部に対応する部分に設けられる２つの挿入係止具Ｅ1 を一体化させた構成である。従って、挿入係止具Ｅ5 の基板部６６は、配置状態で横方向Ｒに長い細長比の大きな長方形状になっていて、当該基板部６６の長手方向（配置状態で横方向Ｒ）の両端部にそれぞれ挿入係止溝６７，６８が傾斜方向Ｑに沿って対向して設けられている。
【００５１】
従って、図１８に示されるように、２枚のソーラーパネルＰが横方向Ｒに沿って隣接する部分においては、２個の挿入係止具Ｅ1 を１個の挿入係止具Ｅ5 で済ますことが可能となるので、２枚のソーラーパネルＰが横方向Ｒに沿って隣接する部分における挿入係止具の使用数を半減させられる。これに加えて、横方向Ｒに沿って隣接する２つのソーラーパネルＰが一体に連結されるため、内部における計４つの各コーナー部が傾斜方向Ｑ及び横方向Ｒに沿って隣接する部分では、計４枚のソーラーパネルＰが各コーナー部において一体に連結されて、傾斜方向Ｑ及び横方向Ｒに沿ってそれぞれ複数枚が配置された多数枚のソーラーパネルＰどうしの連結強度が高まることで、風圧、振動等に対して強い構造となる。
【００５２】
なお、図１７に示されるソーラーパネル取付装置Ｄ3 は、クランプ具Ｃの上面側に挿入係止具Ｅ5 を一体に設けた構成であるが、実施例１のソーラーパネル取付装置Ｄ1 の挿入係止具Ｅ1 に替えて、上記した挿入係止具Ｅ5 を取付けることも可能である。
【実施例４】
【００５３】
図１９に示される実施例４のソーラーパネル取付装置Ｄ4 は、アングル状の取付部材１０５に対してソーラーパネルＰを取付けるための装置であって、実施例１のソーラーパネル取付装置Ｄ1 を構成する挿入係合具Ｅ1 とスライド許容具２４との組み合せのみから成るものであって、実施例１のソーラーパネル取付装置Ｄ1 では、当該スライド許容具２４が係止ボルト３２を介してクランプ具Ｃに係止されているのに対して、係止ボルト７１を介してアングル状の取付部材１０５の水平板部１０５ａに、横方向Ｒに微動可能に係止された構成である。なお、図１９において、７１ａは、スライド許容具２４のあり溝２０に挿入係止される係止ボルト７１の頭部であり、７２は、アングル状の取付部材１０５の内側において、係止ボルト７１に螺合されるナット示す。
【００５４】
実施例４のソーラーパネル取付装置Ｄ4 は、ソーラーパネルＰの取付けの対象がアングル状の取付部材１０５であるために、単管からなる取付部材１０３に対してソーラーパネルＰを取付けるのに不可欠なクランプ具Ｃが不要となる。
【実施例５】
【００５５】
図２０に示される実施例５のソーラーパネル取付装置Ｄ5 は、実施例４のソーラーパネル取付装置Ｄ4 において、アングル状の取付部材１０５の水平板部１０５ａに挿入係止具Ｅ1 がさらボルト７３を介して直接に取付けられた構成である。さらボルト７３の頭部７３ａは、さら状となっているために、挿入係止具Ｅ1 の基板部２１の上面に当該頭部７３ａが突出しない。このため、挿入係止具Ｅ1 の各挿入係止溝２２，２３に対するソーラーパネルＰの挿入係止板部１の挿入の際に、当該挿入係止板部１とさらボルト７３の頭部７３ａとが干渉しなくなって、挿入係止板部１の挿入係止の操作を支障なく行える。
【００５６】
実施例５のソーラーパネル取付装置Ｄ5 は、アングル状の取付部材１０５の水平板部１０５ａに挿入係止具Ｅ1 が一体に取付けられているのみであるので、構成が簡単となる利点がある。
【実施例６】
【００５７】
ソーラーパネルＰの内部においては、発電セル９１の部分において、太陽光により発電されているため、ソーラーパネルＰの部分と地面Ｇとの間において電位差が生じる。このため、ソーラーパネルＰの点検等のために、作業者が当該ソーラーパネルＰに素手で直接に接触すると、軽微な感電を生ずることがある。一方、図２１において、ソーラーパネルＰは、金属板を曲げ加工して形成され、挿入係止具Ｅ1 、スライド許容具２４、クランプ具Ｃ、結合クランプ具１０４及び架設台Ｖを構成する各部材１０１ａ（１０１ｂ），１０２，１０３は、いずれも金属で構成されていて、しかも互いに接触し合っている。しかし、挿入係止具Ｅ1 の挿入係止溝２２（２３）と、当該挿入係止溝２２（２３）に挿入係止されたソーラーパネルＰの挿入係止板部１との間に隙間が発生することがあり、当該隙間の発生により、ソーラーパネルＰと地面Ｇとの間が非導通となって、両者の間に電位差が生ずることがあり、この電位差が原因で軽微な感電を生ずる恐れがある。
【００５８】
そこで、挿入係止具Ｅ1 において基板部２１との間で挿入係止溝２２（２３）を形成する溝形成板部３７の裏面に小突起３８を設けておくと、当該挿入係止溝２２（２３）にソーラーパネルＰの挿入係止板部１を挿入係止させる際に、前記小突起３８が挿入係止板部１の上面に軽く喰い込むために、挿入係止板部１、即ち、ソーラーパネルＰと挿入係止具Ｅ1 とが確実に接触する。この結果、発電部であるソーラーパネルＰがアースされて、軽い感電事故の発生を未然に防止できる。
【００５９】
また、図２２に示されるソーラーパネルＰのアース構造は、挿入係止具Ｅ1'の基板部２１の裏面側から、先端が尖鋭な導通ビス３９を螺合させて、当該導通ビス３９の先端の尖鋭部を、挿入係止溝２２’，２３’に挿入係止されたソーラーパネルＰの挿入係止板部１の裏面に喰い込ませることで、ソーラーパネルＰと挿入係止具Ｅ1'' を確実に導通させられて、ソーラーパネルＰが架設台Ｖの構成部材１０１ａ（１０１ｂ），１０２，１０３を通じてアースされる。
【００６０】
なお、上記実施例１では、ソーラーパネルＰの計４箇所の各コーナー部の全てをクランプ具Ｃ及び挿入係止具Ｅ1 を用いて、傾斜方向Ｑに沿って隣接する２本の取付部材１０３に取付けて（固定して）いるが、例えば、方形盤状のソーラーパネルの一方の対角線方向に沿った２箇所のみの取付け（固定）のみで、必要な取付強度が得られる場合には、ソーラーパネルＰの計４箇所の各コーナー部の全てを２本の取付部材１０３に対して取付ける（固定する）必要はない。
【符号の説明】
【００６１】
Ｂ：挿入係止部材の回動軸心
Ｃ：クランプ具
Ｄ1 〜Ｄ5 ：ソーラーパネル取付装置
Ｅ1 〜Ｅ5 ：挿入係止具
Ｐ：ソーラーパネル
Ｑ：傾斜方向
Ｒ：横方向（傾斜方向と直交する水平方向）
Ｖ：架設台
θ：ソーラーパネルの傾斜角度
１：ソーラーパネルの挿入係止板部
９１：発電セル
１０３：単管状の取付部材
１０５：アングル状の取付部材
【要約】
【課題】  
ボルト類を一切使用せずに、しかもワンタッチでソーラーパネルを架設台に取付けられるようにして、施工コストの低減を図ることである。
【解決手段】
架設台Ｖを構成していて、傾斜方向Ｑに沿って所定間隔をおいて配置された単管状の取付部材１０３にクランプ具Ｃが取付けられ、当該クランプ具Ｃの上面側に挿入係止具Ｅ1 が取付けられ、当該挿入係止具Ｅ1 は、前記傾斜方向Ｑに沿って挿入開口２２ａ，２３ａが開口するようにして挿入係止溝２２，２３がそれぞれ形成され、ソーラーパネルＰの傾斜方向Ｑに沿った斜上下端部にそれぞれ挿入係止板部１が、当該傾斜方向Ｑと直交する水平方向である横方向Ｒに沿って形成され、一方のクランプ具Ｃを非クランプ状態にして、前記ソーラーパネルＰの斜上下端部の各挿入係止板部１を、傾斜方向Ｑに沿って隣接する各挿入係止具Ｅ1 の挿入係止溝２３及び同２２に挿入係止させた後に、前記非クランプ状態のクランプ具Ｃを取付部材１０３にクランプさせることで、前記架設台Ｖに対してソーラーパネルＰを取付ける。
【選択図】  図６【図１】
0005395304.tif 000002
【図２】
0005395304.tif 000003
【図３】
0005395304.tif 000004
【図４】
0005395304.tif 000005
【図５】
0005395304.tif 000006
【図６】
0005395304.tif 000007
【図７】
0005395304.tif 000008
【図８】
0005395304.tif 000009
【図９】
0005395304.tif 000010
【図１０】
0005395304.tif 000011
【図１１】
0005395304.tif 000012
【図１２】
0005395304.tif 000013
【図１３】
0005395304.tif 000014
【図１４】
0005395304.tif 000015
【図１５】
0005395304.tif 000016
【図１６】
0005395304.tif 000017
【図１７】
0005395304.tif 000018
【図１８】
0005395304.tif 000019
【図１９】
0005395304.tif 000020
【図２０】
0005395304.tif 000021
【図２１】
0005395304.tif 000022
【図２２】
0005395304.tif 000023